(57)【要約】【課題】カメラレコーダ１０１において、通常の記録を開始した後でも記録媒体１０２を物理的に交換せずに撮影を継続したままで記録時間を延長したい。【解決手段】カメラレコーダ１０１に装着された記録媒体１０２に撮影映像及び音声を記録する撮影装置において、ワイヤレスリモートコントローラ４０２及び外部記録媒体４０３を備え、カメラレコーダ１０１で撮影開始した後でもワイヤレスリモートコントローラ４０２からの操作により、記録モードの変更または記録媒体１０２から記録データを転送することで撮影時間を延長する。【選択図】図４
2010252221.tif 000002
【特許請求の範囲】
【請求項１】
カメラレコーダの動作モードを外部から切り替えるためのコントロール装置を備え、カメラレコーダとコントロール装置が有線または無線接続されたカメラレコーダシステムにおいて、記録中に通常記録から無限記録モードへ切り替える機能を有したカメラレコーダシステム。
【請求項２】
請求項１に記載のカメラレコーダシステムにおいて、記録中に通常記録から無限記録モードへ切り替える機能を有するカメラシステムの制御及び切り替え方法。
【請求項３】
請求項１に記載のカメラレコーダシステムにおいて、記録済みファイルを削除する機能を有するカメラシステムの制御及びファイル削除方法。
【請求項４】
請求項１に記載のカメラレコーダシステムにおいて、記録中に通常記録から無限記録モードへ切り替える機能及び記録済みファイルを削除する機能を有するカメラシステムの制御方法。
【請求項５】
請求項１に記載のカメラレコーダシステムにおいて、請求項２の制御方法及び切り替え方法を備えたカメラレコーダシステムにて、記録中に既存記録ファイルを外部記憶装置に転送する機能を有するカメラシステムの制御及び録画方法。
【請求項６】
請求項１に記載のカメラレコーダシステムにおいて、請求項３の制御方法及びファイル削除方法を備えたカメラレコーダシステムにて、記録中に既存記録ファイルを外部記憶装置に転送する機能を有するカメラシステムの制御及び録画方法。
【請求項７】
請求項１に記載のカメラレコーダシステムにおいて、請求項４の制御方法を備えたカメラレコーダシステムにて、記録中に既存記録ファイルを外部記憶装置に転送する機能を有するカメラシステムの制御及び録画方法。
【発明の詳細な説明】
【技術分野】
【０００１】
本発明は、被写体を撮影し動画像（映像及び音声）を記録媒体にファイルとして記録を行うカメラレコーダにおいて、録画中にその記録媒体への録画可能な時間を延長することを目的としており、録画の延長を行う際には、記録媒体を物理的に交換せず録画動作を継続しながら録画時間を延長する方法に関する技術である。
【背景技術】
【０００２】
従来の技術では、図１に示すような被写体を撮影し動画像（映像及び音声）を記録するカメラレコーダ１０１などの撮影装置であり、記録データを蓄える記録媒体１０２へ撮影画像を取り込む構成となる。この記録媒体１０２は記録可能な領域が有限であり、記録を行う際には十分な空き容量が必要である。
【０００３】
即ち、録画時間を延長するために記録媒体１０２の空き領域を拡大する必要がある。そのため従来技術では、使用者はカメラレコーダ１０１を操作し、録画に必要な空き容量を確保するための設定を行い、カメラレコーダ１０１のカメラレコーダ制御部で記録可能な領域が一定以上であるか否かを判定し、一定以上でなければ、記録媒体に記録済みのファイルのうちの何れかを、予め設定された削除レベルに基づいて選択したファイルを優先して削除する。記録媒体１０２に録画可能な領域を作成することで録画時間を延長することを可能にしている。特許文献１では上記の構成を基本として実現されている。空き容量の確保のためには、使用者が予めカメラレコーダ１０１を操作し、削除可能なファイルを指定または削除候補の決定を行っておく必要があった。またカメラレコーダ１０１が停止状態など、操作可能な特定の状態である必要があり、削除操作の際にはカメラレコーダ１０１の機器本体を直接操作しなければならなかった。
【０００４】
一方、図２に示すような記録媒体への記録内容を外部記録装置に例えば無線ＬＡＮなどのワイヤレス技術を用いて送信し、記録内容の送信を行い、その記録データの転送が完了したものから順にファイル削除を行い、記録可能領域として拡張しながら記録を行う方法である特許文献２のような構成で実現する記録装置がある。撮影端末の操作により外部記録装置に撮影データを転送するが、この際、端末側で記録領域が不足する状況となったときに外部記録装置への撮影データの転送が開始されるが、撮影端末側だけで記録可能な領域を把握する、または制御するのではなく、外部装置からも端末側の記録領域の状態を把握し、外部機器側からデータの抜き出しを判断することができれば、カメラで撮影している側では記録可能な残容量を気にすることなく、撮影に集中することができる。また、外部機器側の記録容量も有限であり記録可能な領域を常に十分確保していなければならない。
【先行技術文献】
【特許文献】
【０００５】
【特許文献１】特開２００６−１４６８１２号公報
【特許文献２】特開２００８−１２４８１４号公報
【発明の概要】
【発明が解決しようとする課題】
【０００６】
カメラレコーダでの撮影の際、録画を開始した後の記録の最中に記録時間を延長したい場合、録画状態を維持したままでカメラレコーダを操作して動作モードの切り替えなどによる録画時間延長が出来ない。カメラレコーダを固定位置で撮像画角を変化させること無く録画させる場面では、特にカメラレコーダの機器本体に触れずに動作モードを切り替えたいときがある。また、その他の状況においてもカメラマンは撮影に集中し記録残量を気にして記録媒体を交換、撮影モードの変更などを極力行いたくない。
【０００７】
これまでの技術では記録媒体を物理的に交換する、または機器に職説操作を加えて既に記録済みのファイルを選択し削除することで記録時間の延長を実現していた。ただ、これらの行為は撮影の音声にノイズが入たり映像のぶれなどを起こす可能性が極めて高くなってしまう。これらの、音声ノイズや映像ぶれなどを起こすことを解決するため、記録媒体を物理的に交換せず、カメラレコーダの記録の状態（後述する「記録モード」）を切り替えることにより録画時間を延長したい。
【０００８】
また、カメラレコーダに装着した記録媒体の容量を超えそうな場合に、外部記録装置に無線ＬＡＮなどの通信手段を利用して撮影データを転送し、記録媒体の空き領域を確保しながら撮影を継続する方法があるが、外部記録装置への転送先の空き容量が十分確保されていることが必要であり、撮影者はその状態を即座に知ることができないため、もしも外部記録装置の記録容量に十分な空きがなかったときは撮影を継続することができなくなる。
【０００９】
カメラレコーダ側（カメラマン）が外部記録装置に転送するのではなく、外部機器からリモートコントロールを行い、記録装置に記録データを取り出したい。
【課題を解決するための手段】
【００１０】
装置の構成は、図３のカメラレコーダ１０１と制御線で接続されたワイヤードリモートコントローラ２０２、図４のカメラレコーダ１０１と無線ＬＡＮ接続したＰＣなどのワイヤレスリモートコントローラ３０２との何れかの組み合わせで実現する。
【００１１】
通常録画から繰返し無限録画（以下ループＲＥＣと記載）への切り替え（記録モードの切り替え）を記録媒体１０２の物理的な交換を行わず、また機器に直接接触せずにリモート操作を行う方法。録画データをファイルとして扱う記録方式の場合、一回の連続した録画でも複数のファイルとして記録し、連続したデータとして扱うことが可能である。複数のファイルで扱っているので一部のファイルだけを削除することや複製を行うことが可能となる。ひとつの連続録画データを複数のファイルとして扱ったときにループＲＥＣとして録画動作を行う仕組みを図９に示す。
【００１２】
上記で述べたループＲＥＣで記録時間を延長する方法とは別に記録済みのファイルのうち削除または上書き可能なファイルを無条件、またはある条件に従って消去または上書して記録領域を広げながら記録時間を延長する方法もある。
【００１３】
また、単にファイルを削除または上書きするのではなく記録済み領域からデータを退避させ記録領域を拡張する方法も実現可能である。外部記録装置に退避、例えば録画動作とは別にバックグラウンドで既存記録データをサーバなどの外部記憶装置に高速データ転送を行うことで記録可能領域を広げて記録時間を延長できる。記録可能領域の拡大と通常記録からループＲＥＣへの切り替えとを併用することで、より柔軟な記録時間の延長を行うこともできる。
【発明の効果】
【００１４】
本発明のカメラレコーダシステムでは録画を開始した後でも、その開始した録画の一旦停止を行うことなく記録時間を延長することが可能となる。またそのときにカメラレコーダ機器本体を直接操作しないので、記録中の画像及び音声にノイズを入れてしまう心配を排除することが出来る。
【００１５】
撮影者（カメラマン）は記録残量や記録媒体の物理的な交換を行うことがなくなり、撮影に集中することができる。
【図面の簡単な説明】
【００１６】
【図１】従来例１のカメラレコーダの機能構成及び記録時間延長処理フローチャート
【図２】従来例２のカメラレコーダシステム構成図
【図３】実施例１のカメラレコーダシステム構成図
【図４】実施例１のカメラレコーダシステムの別の構成図
【図５】実施例１のカメラレコーダのファイル管理構造を表した図
【図６】実施例１のカメラレコーダの機能構成と周辺装置を表した図
【図７】実施例４のカメラレコーダの別の機能構成と周辺機器を表した図
【図８】実施例１のカメラレコーダでの記録時間延長処理フローチャート
【図９】実施例１のカメラレコーダのループＲＥＣでのファイル構造を表した図
【図１０】実施例２のカメラレコーダでの記録時間延長処理フローチャート
【図１１】実施例３のカメラレコーダでの別の記録時間延長処理フローチャート
【図１２】実施例４のカメラレコーダでの並列処理を表した図
【発明を実施するための形態】
【００１７】
以下本発明を実施するための最良の形態について、図面を参照しながら説明する。本実施の形態における装置の構成は、図３のカメラレコーダ１０１と制御線で接続されたワイヤードリモートコントローラ、図４のカメラレコーダ１０１と無線ＬＡＮ接続したＰＣなどのワイヤレスリモートコントローラ３０２との組み合わせでの実現方法であり、実施の形態を以下に説明する。
【実施例１】
【００１８】
図３及び図４のカメラレコーダシステムにはカメラの録画状態を制御するためのカメラレコーダ制御部と記録媒体１０２へのデータ書き込み及び読出しを行うための記録・読出し部を備えており、前述のリモートコントローラからの制御により録画時間の延長を指示しカメラレコーダ１０１で実行させる。リモートコントローラはワイヤレス、ワイヤードの何れの構成で実現しても良い。
【００１９】
カメラレコーダ制御部では録画を開始した状態のまま、その録画を停止することなく継続したままで記録媒体１０２への録画時間延長を行う機能を備える。記録時間の延長は、通常録画（以降、通常ＲＥＣと記載）の状態（この状態を「通常ＲＥＣモード」とする）から繰返し無限録画（以降、ループＲＥＣと記載）の状態（この状態を「ループＲＥＣモード」とする）への切り替えを行うことで実現する。このとき記録媒体１０２の物理的な交換を行わず、またカメラレコーダ１０１の本体には直接接触せずにリモート操作を行う方法を以下に記述する。
【００２０】
カメラレコーダ１０１の使用者はカメラを設置し録画を開始する。その録画状態から録画時間を延長させるためにワイヤードリモートコントローラ３０２またはワイヤレスリモートコントローラ４０２を操作することになる。
【００２１】
リモートコントローラ側では、リモートコントローラよりカメラレコーダ１０１に対して機器情報の通知要求を発行し、その機器情報を得る。カメラレコーダ１０１は通知要求に対して現在の録画モードや記録媒体の残容量、記録可能な残時間などの情報をリモートコントローラに通知する。リモートコントローラはカメラレコーダの状態（録画の状態や記録媒体１０２の残量など）を情報として知ることができ、通常ＲＥＣとループＲＥＣを選択し切り替える操作を可能となる。
【００２２】
使用者によってリモートコントローラで通常ＲＥＣからループＲＥＣへ切り替える手順を以下に述べる。
【００２３】
図８の本実施の形態のカメラレコーダでの記録時間延長処理フロー１は、図３または図４のカメラレコーダでの実施の形態１を手順に示したものである。図６本実施の形態のカメラレコーダの機能構成と周辺装置１は図３または図４のカメラレコーダの内部的な機能構成を示したものである。
【００２４】
使用者はリモートコントローラで録画時間延長の操作を行うとカメラレコーダのカメラレコーダ制御部では使用者から指定された延長方法に従い手順Ｓ００１で判定し録画モード切り替えが選択されている場合、手順Ｓ００２へ移行し、手順Ｓ００３で録画中であると判定された場合には手順Ｓ００４で通常ＲＥＣモードからループＲＥＣモードへ移行し録画延長設定を完了状態にして処理を継続させる。
【００２５】
図５は本実施の形態のカメラレコーダのファイル管理構造を示したものである。ルートディレクトリの直下に、ＡＵＤＩＯやＶＩＤＥＯなどコンテンツごとにサブフォルダで構成され、そのサブフォルダ内に分割されたファイルを格納する構成となる。この構成により全体の録画のデータのうちファイルで区切られたコンテンツの一部を削除することで、撮影映像の全体のうち削除可能な部分的箇所を削除することが可能となる。
【００２６】
図９に示す本実施の形態のカメラレコーダのループＲＥＣでのファイル構造のように、カメラレコーダ１０１は記録容量が残っている限り通常緑画を継続させ（図９のファイルＣ７）記録容量が不十分となった時点で録画開始時の先頭ファイル（図９のファイルＣ１）を削除して、削除直前には二番目以降のファイルはそれぞれの順位を一番目からに変更し録画可能領域を確保し録画を継続させる。再び記録残量が不十分となった時点でファイルの記録順番を更新し記録延長を繰り返す。無限にこの処理を繰り返すことでループＲＥＣとする。
【００２７】
通常ＲＥＣ中の動作もループＲＥＣ動作と同じようにファイルを区切りながら録画を続けるようにすれば、録画中の動作の違い無くしカメラレコーダ１０１のカメラレコーダ制御部のプログラムをシンプルに実現することが可能となる。録画終了処理の違いだけを考慮すればよい。通常ＲＥＣでは記録媒体１０２の残量がなくなった時点で録画動作を終了する。一方、記録媒体１０２の残量がなくなった時点で、その記録中の先頭ファイルを削除し記録を継続すればループＲＥＣとなる。即ち、この記録媒体１０２の残量の判定と終了処理の違いだけで通常ＲＥＣまたはループＲＥＣの切り替えを行うことで実現可能である。
【実施例２】
【００２８】
上記で述べたループＲＥＣで記録時間を延長する方法とは別に記録済みのファイルのうち削除または上書き可能なファイルを無条件、またはある条件に従って消去または上書して記録領域を広げながら記録時間を延長する方法を以下に記述する。
【００２９】
前述のとおり、通常ＲＥＣを行う際もある一定間隔でファイル分割を繰返し行っておく。通常ＲＥＣ完了後もこれらのファイルは分割されたままであるが関連付けさえ出来ていれば一つの録画によって作成された画像及び音声データファイルであることがわかりひとつのコンテンツとして扱うことが可能である。
【００３０】
図１０の本実施の形態のカメラレコーダでの記録時間延長処理フロー２は、図３または図４のカメラレコーダでの実施の形態２を手順に示したものである。
【００３１】
使用者はリモートコントローラで録画時間延長の操作を行うとカメラレコーダ１０１のカメラレコーダ制御部では使用者から指定された延長方法に従い手順Ｓ１０１で判定しファイルを選択し削除の実行が選択されている場合、手順Ｓ１０２へ移行し、削除可能なファイルを判定し削除を実行する。ここで選択されたファイルは全てが一括で削除されるわけではなく、選択されたファイルの内、録画された最も古い即ち録画コンテンツの先頭側から順に削除を進めていく。録画時間延長処理は記録媒体１０２の残量がなくなる前に実行を繰り返し、カメラレコーダは記録容量が残っている限り空き容量の範囲で通常緑画を継続させ記録容量が不十分となった時点で削除対象のファイルの先頭ファイルを順に削除して、削除可能ファイルの有無を手順Ｓ１０３で判定し、削除ファイル選択手順Ｓ１０４で選択指定されたファイルを手順Ｓ１０５で削除を行うことで録画可能領域を確保しながら録画を継続させる。再び記録残量が不十分となった時点で録画時間延長処理を呼び出し、ファイルの削除を繰り返すことで記録延長を行う。
【実施例３】
【００３２】
実施の形態２で述べた記録済みのファイルのうち削除または上書き可能なファイルを無条件、またはある条件に従って消去または上書して記録領域を広げながら記録時間を延長する方法だけでは条件によって、これ以上の記録領域を広げられなくなるときがきてしまう。一方、実施の形態１の録画モードを切り替えてループＲＥＣで記録時間を延長するだけでは十分な記録時間を確保できないというケースがある。そこで、実施の形態１と実施の形態２を組み合わせ、その何れかの延長方法のうちどちら一方を優先させるかを判定する手順を備える、実施の形態３を以下に述べる。
【００３３】
図１１の本実施の形態のカメラレコーダでの記録時間延長処理フロー３は、図３または図４のカメラレコーダでの実施の形態３を手順に示したものである。
【００３４】
カメラレコーダ１０１にはあらかじめ優先させる録画の延長方法を選択し決定しておく。この選択及び決定は録画を行うよりも前に準備されるべき設定である。例えば工場出荷時には「ループＲＥＣ延長優先」などにしておく。
【００３５】
使用者はリモートコントローラで録画時間延長の操作を行うとカメラレコーダ１０１のカメラレコーダ制御部では使用者からあらかじめ指定された優先延長方法を手順Ｓ２０１で判定しファイルを選択し削除の実行が選択されている場合、手順Ｓ２２０へ移行し、削除可能なファイルを判定し削除を実行する。ここで選択されたファイルは全てが一括で削除されるわけではなく、選択されたファイルの内、例えば録画された最も古い即ち録画コンテンツの先頭側から順に削除を進めていく。この削除の優先順位もあらかじめカメラレコーダ１０１に選択して決定しておくと柔軟に優先順位付けが可能。
【００３６】
録画時間延長処理は記録媒体１０２の残量がなくなる前に実行を繰り返し、カメラレコーダ１０１は記録容量が残っている限り空き容量の範囲で通常緑画を継続させ記録容量が不十分となった時点で削除対象のファイルの先頭ファイルを順に削除して、削除可能有無を手順Ｓ２２１で判定し、削除ファイル選択を手順Ｓ２２２で選択指定されたファイルを手順Ｓ２２３で削除を行う、録画延長処理が正しく完了しできた場合には手順Ｓ２２４で「録画延長完了フラグ」を有効にするが、録画延長に失敗した場合は「録画延長完了フラグ」を無効とする。ファイル選択削除処理Ｓ２２０から上位処理へ戻り、録画延長が正しく終了したか否かを手順Ｓ２３０で判断し成功していれば録画処理を継続する。一方、録画延長が正しく終了しなかった場合は手順Ｓ２４０へ進み優先延長方法の指定を切り替えてから録画時間延長処理を繰り返す。手順Ｓ２１０へ移行し、手順Ｓ２１１で録画中であると判定された場合には手順Ｓ２１２で通常ＲＥＣモードからループＲＥＣモードへ移行し手順２１３で録画延長設定を完了状態にして処理を継続させる。
【００３７】
これらの一連の処理によりできるだけ削除できるファイルを削除した後、ループＲＥＣへの切り替えを行うことができ録画可能な時間をできる限り確保してループＲＥＣでの録画時間延長行うことが可能となる。
【実施例４】
【００３８】
これまでに述べてきた、単にファイルを削除または上書きするのではなく記録済み領域からデータを退避させ記録領域を拡張する方法を述べる。外部記録装置に退避、例えば録画動作とは別にバックグラウンドで既存記録データをサーバなどの外部記憶装置に高速データ転送を行うことで記録可能領域を広げて記録時間を延長できる。記録可能領域の拡大と通常記録からループＲＥＣへの切り替えとを併用することでより柔軟な記録時間の延長を行う。
【００３９】
図７本実施の形態のカメラレコーダの機能構成と周辺装置２は、外部記録媒体４０３を備え録画データを記録する機能を有しており、前述のようなバックグラウンドでの記録バックアップを実現することを可能とする。
【００４０】
実施の形態１から実施の形態３では、それぞれ述べたように記録領域をカメラレコーダ１０１内のカメラレコーダ制御部にて判定処理および記録延長処理を行う方法であったが、これらの処理とは同時に並行して、リモートコントローラ部４０２にカメラレコーダの記録データを転送し、転送が完了することでその記録データ（対象ファイル）を削除する。これにより単にファイル削除するのではなくバックアップデータは保存し完全な消去ではなく、カメラレコーダ１０１に接続されている記録媒体１０２の記録可能領域を広げることを可能とする。
【００４１】
図１２にバックグラウンドで記録バックアップを行うための、本実施の形態のカメラレコーダでの並行処理を示す。図では上から下に向けて処理の時間経過を表しており、リモートコントローラよりカメラレコーダ１０１に対して状態の情報を取得するための要求を行います。その要求に対してカメラレコーダ１０１より状態情報を通知する。バックアップを行うべき記録データがカメラレコーダ１０１に装着された記録媒体に存在する場合は、使用者がリモートコントローラよりデータ転送要求を行う。データ転送を実行した後リモートコントローラでは保存処理を、カメラレコーダ１０１では当該ファイルの削除処理で記録可能領域を確保する。
【００４２】
これらの一連の処理の期間中も記録処理は継続し並列に処理を実行し続けている。したがって記録を停止することなく、記録領域の確保を行い録画時間の延長を実現する。
【産業上の利用可能性】
【００４３】
本実施の形態にかかるカメラレコーダにおける録画時間の延長方法は、録画を開始した後でも、その開始した録画の一旦停止を行うことなく記録時間を延長することが可能となる。またそのときにカメラレコーダ機器本体を直接操作しないので、記録中の画像及び音声にノイズを入れてしまう心配を排除することが可能になるので、映像・音声の細部まで高位の品質が要求される映像製作用など、業務向けカメラレコーダに有用である。
【符号の説明】
【００４４】
１０１    カメラレコーダ
１０２    記録媒体
２０２    ワイヤレス外部記録装置
３０２    リモートコントローラ
４０２    ワイヤレスリモートコントローラ
４０３    外部記録媒体
【図１】
2010252221.tif 000003
【図２】
2010252221.tif 000004
【図３】
2010252221.tif 000005
【図４】
2010252221.tif 000006
【図５】
2010252221.tif 000007
【図６】
2010252221.tif 000008
【図７】
2010252221.tif 000009
【図８】
2010252221.tif 000010
【図９】
2010252221.tif 000011
【図１０】
2010252221.tif 000012
【図１１】
2010252221.tif 000013
【図１２】
2010252221.tif 000014